(57)【要約】【課題】標本等からこぼされた液体を顕微鏡本体内へ浸入させることなく顕微鏡本体内を確実に防水できること。【解決手段】倒立顕微鏡１００は、対物レンズ５を保持するレンズ保持機構６と、レンズ保持機構６を上部に保持し、レンズ保持機構６とともに対物レンズ５を昇降移動させる焦準機構７と、焦準機構７が内設された筐体であって、焦準機構７とレンズ保持機構６とを接続させる開口部１１ｃを上壁面１１ａに有する顕微鏡本体１１とを備え、レンズ保持機構６の水平面内の大きさは、開口部１１ｃの水平面への投影像よりも大きい。【選択図】      図１
2008304859.tif 000002
【特許請求の範囲】
【請求項１】
標本下に配置された対物レンズを用いて前記標本の観察像を生成する倒立顕微鏡において、
前記対物レンズを保持するレンズ保持機構と、
前記レンズ保持機構を上部に保持し、該レンズ保持機構とともに前記対物レンズを昇降移動させる焦準機構と、
前記焦準機構が内設された筐体であって、該焦準機構と前記レンズ保持機構とを接続させる開口部を上壁面に有する顕微鏡本体と、
を備え、
前記レンズ保持機構の水平面内の大きさは、前記開口部の該水平面への投影像よりも大きいことを特徴とする倒立顕微鏡。
【請求項２】
前記レンズ保持機構と一体に設けられ、前記レンズ保持機構上にこぼされた液体の前記開口部への浸入を阻止する阻止部材を備えたことを特徴とする倒立顕微鏡。
【請求項３】
前記レンズ保持機構は、前記対物レンズを所定軸回りに回転可能に保持するレボルバ部と、前記所定軸周りにおける前記レボルバ部の周縁に突設された突縁部とを有することを特徴とする請求項１または２に記載の倒立顕微鏡。
【請求項４】
前記上壁面は、該上壁面上にこぼされた液体を前記開口部以外の所定部位へ流下させる斜面を有することを特徴とする請求項１〜３のいずれか一つに記載の倒立顕微鏡。
【請求項５】
前記顕微鏡本体は、前記上壁面上へ突起した突起部を前記開口部の周縁に有することを特徴とする請求項１〜４のいずれか一つに記載の倒立顕微鏡。
【請求項６】
前記レンズ保持機構は、前記対物レンズを所定軸回りに回転可能に保持するレボルバ部を有し、
前記上壁面は、前記開口部周りに前記所定軸に略垂直な斜面を有し、
前記顕微鏡本体は、前記上壁面上へ突起した突起部を前記開口部の周縁に有することを特徴とする請求項１または２に記載の倒立顕微鏡。
【請求項７】
前記レンズ保持機構と一体に設けられ、前記突起部を囲繞する囲繞部を備えたことを特徴とする請求項５または６に記載の倒立顕微鏡。
【請求項８】
前記顕微鏡本体は、前記上壁面上にこぼされるとともに前記斜面によって流下された液体を貯溜する貯溜部または該液体を排出する排出路の少なくとも一方を有することを特徴とする請求項４または６に記載の倒立顕微鏡。
【請求項９】
前記レンズ保持機構は、前記対物レンズを所定軸回りに回転可能に保持するレボルバ部を有し、
前記阻止部材は、前記レボルバ部の周縁部における前記所定軸周りに設けられることを特徴とする請求項２に記載の倒立顕微鏡。
【請求項１０】
前記標本が載置されるステージと、
前記顕微鏡本体内に設けられ、前記ステージを支持するとともに、前記顕微鏡本体に形成されたステージ用開口部から前記ステージを水平に突出させるステージ支持機構と、
前記ステージ上に設けられ、該ステージ上にこぼされた液体の前記ステージ用開口部への浸入を阻止するステージ用阻止部材と、
を備えたことを特徴とする請求項１〜９のいずれか一つに記載の倒立顕微鏡。
【発明の詳細な説明】
【技術分野】
【０００１】
本発明は、標本下に配置された対物レンズを用いて標本の観察像を生成する倒立顕微鏡に関する。
【背景技術】
【０００２】
従来、培養液中に浸された細胞（培養細胞）等の標本の観察に倒立顕微鏡が広く用いられている。かかる観察では、培養液が満たされたシャーレ等の容器がステージ上に載置され、標本下に設けられた対物レンズを用いて観察像が生成される。そして、例えば培養細胞を経時的に観察する場合、培養液の交換が必要となる。その際、ステージ上で容器から培養液が誤ってこぼされることがあり、そのこぼされた液体が顕微鏡本体内に浸入することで、顕微鏡本体内に設けられた光学部材や機構部材が汚染され、その機能が損なわれるという問題があった。
【０００３】
これに対して、特許文献１〜３に開示された技術がある。特許文献１に記載された倒立顕微鏡では、観察光路を確保するために中央部に穴が設けられた防水用シートによって顕微鏡本体を上部から覆い、対物レンズを上下動させる上下動台を中央部の穴にはめ込んだ状態で、その穴の縁端部付近を輪ゴムによって上下動台に固定している。このため、標本等からこぼされた液体は防水シート上に貯溜されるか防水シートを伝って外部へ流下される。これによって、液体の顕微鏡本体内への浸入が防止されている。
【０００４】
特許文献２に記載された倒立顕微鏡では、対物レンズを上下動させる上下動部のうち顕微鏡本体内に設けられた部分にトレイ状の水受け部が設けられており、顕微鏡本体の上壁面とこの上壁面から突出された上下動部との隙間から浸入した液体は、この水受け部によって受容される。水受け部には排水路が接続されており、水受け部が受容した液体は、排水路を介して外部へ排出されている。このように、顕微鏡本体内へ浸入した液体が光学部材や機構部材へ到達する前に排出されることで、液体による汚染が防止されている。
【０００５】
特許文献３に記載された倒立顕微鏡では、ステージと顕微鏡本体との間にステージよりも大きな水受け用のトレイが配設されており、標本等からこぼされた液体は、このトレイによって受容される。このように、顕微鏡本体上に液体がこぼされないようにすることで、液体の顕微鏡本体内への浸入が防止されている。
【０００６】
【特許文献１】特開２００２−９０６４５号公報
【特許文献２】実開平５−５０４１３号公報
【特許文献３】特開２００６−１６２７７０号公報
【発明の開示】
【発明が解決しようとする課題】
【０００７】
しかしながら、特許文献１に記載の倒立顕微鏡では、光学部品の切り換え等のために防水シートを取り外す必要があり、その際、輪ゴムで固定した防水シートの穴の縁端部（余端部）と上下動台との間に溜まった液体が輪ゴムを取り外すことでこぼれ落ち、顕微鏡本体と上下動台との隙間から顕微鏡本体内へ浸入する場合があるという問題があった。
【０００８】
特許文献２に記載の倒立顕微鏡では、水受け部および排水路を顕微鏡本体内に設ける必要があるため、顕微鏡本体内に設けられる各部の構造が複雑化するという問題があった。また、水受け部および排水路に残留した液体が蒸発した後に蛋白質等が固着する結果、水受け容量の減少あるいは排水路の閉塞等が生じる恐れがあるため、清掃等のメンテナンス作業が必要とされるが、水受け部および排水路が顕微鏡本体内に設けられていることで、そのメンテナンス作業に多大な手間と時間がかかるという問題があった。
【０００９】
特許文献３に記載の倒立顕微鏡では、水受け用のトレイが対物レンズ周りに着脱自在に設けられているため、対物レンズとトレイとの隙間が十分に閉塞されておらず、観察光路確保のために標本直下に設けられたステージの穴部からこぼされる液体が、対物レンズを伝って顕微鏡本体内へ浸入する場合があるという問題があった。
【００１０】
本発明は、上記に鑑みてなされたものであって、標本等からこぼされた液体を顕微鏡本体内へ浸入させることなく顕微鏡本体内を確実に防水することができる倒立顕微鏡を提供することを目的とする。
【課題を解決するための手段】
【００１１】
上述した課題を解決し、目的を達成するために、本発明にかかる倒立顕微鏡は、標本下に配置された対物レンズを用いて前記標本の観察像を生成する倒立顕微鏡において、前記対物レンズを保持するレンズ保持機構と、前記レンズ保持機構を上部に保持し、該レンズ保持機構とともに前記対物レンズを昇降移動させる焦準機構と、前記焦準機構が内設された筐体であって、該焦準機構と前記レンズ保持機構とを接続させる開口部を上壁面に有する顕微鏡本体と、を備え、前記レンズ保持機構の水平面内の大きさは、前記開口部の該水平面への投影像よりも大きいことを特徴とする。
【００１２】
また、本発明にかかる倒立顕微鏡は、上記の発明において、前記レンズ保持機構と一体に設けられ、前記レンズ保持機構上にこぼされた液体の前記開口部への浸入を阻止する阻止部材を備えたことを特徴とする。
【００１３】
また、本発明にかかる倒立顕微鏡は、上記の発明において、前記レンズ保持機構は、前記対物レンズを所定軸回りに回転可能に保持するレボルバ部と、前記所定軸周りにおける前記レボルバ部の周縁に突設された突縁部とを有することを特徴とする。
【００１４】
また、本発明にかかる倒立顕微鏡は、上記の発明において、前記上壁面は、該上壁面上にこぼされた液体を前記開口部以外の所定部位へ流下させる斜面を有することを特徴とする。
【００１５】
また、本発明にかかる倒立顕微鏡は、上記の発明において、前記顕微鏡本体は、前記上壁面上へ突起した突起部を前記開口部の周縁に有することを特徴とする。
【００１６】
また、本発明にかかる倒立顕微鏡は、上記の発明において、前記レンズ保持機構は、前記対物レンズを所定軸回りに回転可能に保持するレボルバ部を有し、前記上壁面は、前記開口部周りに前記所定軸に略垂直な斜面を有し、前記顕微鏡本体は、前記上壁面上へ突起した突起部を前記開口部の周縁に有することを特徴とする。
【００１７】
また、本発明にかかる倒立顕微鏡は、上記の発明において、前記レンズ保持機構と一体に設けられ、前記突起部を囲繞する囲繞部を備えたことを特徴とする。
【００１８】
また、本発明にかかる倒立顕微鏡は、上記の発明において、前記顕微鏡本体は、前記上壁面上にこぼされるとともに前記斜面によって流下された液体を貯溜する貯溜部または該液体を排出する排出路の少なくとも一方を有することを特徴とする。
【００１９】
また、本発明にかかる倒立顕微鏡は、上記の発明において、前記レンズ保持機構は、前記対物レンズを所定軸回りに回転可能に保持するレボルバ部を有し、前記阻止部材は、前記レボルバ部の周縁部における前記所定軸周りに設けられることを特徴とする。
【００２０】
また、本発明にかかる倒立顕微鏡は、上記の発明において、前記標本が載置されるステージと、前記顕微鏡本体内に設けられ、前記ステージを支持するとともに、前記顕微鏡本体に形成されたステージ用開口部から前記ステージを水平に突出させるステージ支持機構と、前記ステージ上に設けられ、該ステージ上にこぼされた液体の前記ステージ用開口部への浸入を阻止するステージ用阻止部材と、を備えたことを特徴とする。
【発明の効果】
【００２１】
本発明にかかる倒立顕微鏡によれば、標本等からこぼされた液体を顕微鏡本体内へ浸入させることなく顕微鏡本体内を確実に防水することができる。
【発明を実施するための最良の形態】
【００２２】
以下、添付図面を参照して、本発明にかかる倒立顕微鏡の好適な実施の形態を詳細に説明する。なお、この実施の形態により本発明が限定されるものではない。また、図面の記載において、同一部分には同一符号を付して示している。
【００２３】
（実施の形態１）
まず、本発明の実施の形態１にかかる倒立顕微鏡について説明する。図１および図２は、本実施の形態１にかかる倒立顕微鏡１００の要部構成を示す図である。図１は、倒立顕微鏡１００を右側面から見た構成を示し、図２は、図１におけるII−II矢視方向から見た構成を示している。
【００２４】
これらの図に示すように、倒立顕微鏡１００は、観察対象である標本１ａと培養液１ｂとを収容した容器１が載置されるステージ２と、ステージ２を水平面内（図１における左右方向と紙面垂直方向とを含む面内）で移動可能に支持する支持機構３と、標本１ａを上方から透過照明する透過照明装置４と、標本１ａの下方に配置される対物レンズ５と、対物レンズ５を保持するレンズ保持機構６と、レンズ保持機構６を上部に保持する焦準機構７とを備える。
【００２５】
また、倒立顕微鏡１００は、対物レンズ５を介して標本１ａに励起光を照射する落射照明装置８と、標本１ａに照射する励起光および標本１ａが発する蛍光の各光路を合分岐する波長選択部９と、標本１ａが発した蛍光もしくは標本１ａを透過した透過照明光をもとに対物レンズ５が結像させる標本１ａの観察像を撮像する撮像装置１０と、支持機構３、焦準機構７、落射照明装置８、波長選択部９および撮像装置１０を内部に備える筐体としての顕微鏡本体１１とを備える。
【００２６】
さらに、倒立顕微鏡１００は、蝶番１２を介して顕微鏡本体１１の前面部（図１における左側面部）に接続されたカバー１３を備える。カバー１３は、蝶番１２によって顕微鏡本体１１に対して開閉自在とされており、閉塞された場合、容器１、ステージ２、透過照明装置４、対物レンズ５およびレンズ保持機構６を覆い、外部からの光に対して遮蔽する。すなわち、顕微鏡本体１１およびカバー１３は、カバー１３を閉塞させた場合、暗箱を形成する。なお、カバー１３は、閉塞された際、顕微鏡本体１１の周端部と重なり合うことで暗箱機能を高めている。
【００２７】
レンズ保持機構６は、焦準機構７の上部に固定された固定部６ａと、固定部６ａに被嵌された可動部６ｂとを用いて構成されたレボルバ６ｃを備える。可動部６ｂは、円柱状の固定部６ａの中軸である回転軸６ｘ回りに対物レンズ５を回動自在に保持している。また、可動部６ｂは、対物レンズ５とは倍率等が異なる対物レンズ５’を保持しており、対物レンズ５，５’を択一的に標本１ａ下に配設する。回転軸６ｘは、標本１ａの観察光軸ＯＡ、つまり標本１ａ下に配設された対物レンズ５または５’の光軸に対して傾斜角θだけ傾けられており、これによってレボルバ６ｃの底面部は、水平面から傾斜角θだけ傾斜されている。例えば、傾斜角θは５〜３０°、好ましくは１５°とされる。
【００２８】
また、レンズ保持機構６は、回転軸６ｘ周りで回転する可動部６ｂの周縁に突設された輪帯状の突縁部６ｄと、突縁部６ｄの周縁に接合された円筒状の防壁部１４とを一体に備える。レンズ保持機構６は、レボルバ６ｃと突縁部６ｄとによって、その水平面内の大きさが、顕微鏡本体１１上に形成された開口部の水平面への投影像よりも大きくされている。この顕微鏡本体１１上の開口部とレンズ保持機構６との大小関係は、別途詳述する。
【００２９】
焦準機構７は、顕微鏡本体１１の底部に立設された固定部７ａと、固定部７ａに沿って昇降移動する可動部７ｂとを用いて構成されており、可動部７ｂの上端部にはレボルバ６ｃの固定部６ａが固定されている。焦準機構７は、図示しない連動操作機構が接続されており、この連動操作機構に対する操作に応じて可動部７ｂを昇降移動させるとともに、レンズ保持機構６および対物レンズ５，５’を一体で昇降移動させる。標本１ａ下に対物レンズ５が配設されている場合、対物レンズ５は、焦準機構７による昇降移動によって、標本１ａに対して焦点合わせされる。
【００３０】
顕微鏡本体１１は、その筐体構造における前面部が上壁面１１ａと垂壁面１１ｂとを用いて構成されている。上壁面１１ａには、焦準機構７とレンズ保持機構６とを接続するための開口部１１ｃが設けられ、垂壁面１１ｂには、支持機構３からステージ２を水平に突出させるための開口部１１ｄが設けられている。また、上壁面１１ａにおける開口部１１ｃの周縁には、上壁面１１ａ上へ突起した突起部１１ｅが円筒状に設けられ、上壁面１１ａの前端部（図１および図２における左端部）には、貯溜部１１ｆが設けられている。
【００３１】
上壁面１１ａは、全体として、垂壁面１１ｂとの接続部である後端部が高く、前端部が低い斜面とされている。この斜面としての上壁面１１ａは、レボルバ６ｃの回転軸６ｘに対して垂直とされ、レボルバ６ｃの底面部に対して平行とされるとともに、水平面に対して傾斜角θだけ傾斜されている。なお、回転軸６ｘに対して垂直とは、厳密に垂直である必要はなく、略垂直な状態も含むものである。
【００３２】
開口部１１ｃは、上壁面１１ａに沿って、レボルバ６ｃの外形よりも所定量大きな円形開口とされている。具体的には、その大きさは、焦準機構７によってレボルバ６ｃを昇降移動させる際にレボルバ６ｃと突起部１１ｅとを接触させない大きさとされている。
【００３３】
これに対し、レボルバ６ｃと突縁部６ｄとによって決まるレンズ保持機構６の大きさは、上壁面１１ａに沿って開口部１１ｃよりも大きくされ、水平面内では、開口部１１ｃの水平面への投影像よりも大きくされている。この大小関係は、焦準機構７によってレンズ保持機構６が昇降移動された場合、その昇降移動範囲内で常に満足される。
【００３４】
これによって、倒立顕微鏡１００では、ステージ２上で容器１からこぼされ、ステージ２に設けられた観察光路確保のための穴部２ａを介してレンズ保持機構６上にこぼれ落ちるとともに、レンズ保持機構６を伝ってその周縁部つまり防壁部１４から流れ落ちる培養液１ｂが、開口部１１ｃ内に直接こぼれ落ちないようにされており、培養液１ｂの開口部１１ｃ内への浸入が防止されている。同様に、ステージ２の周縁部からこぼれ落ちる培養液１ｂも開口部１１ｃ内に直接こぼれ落ちないようにされている。なお、防壁部１４は、下方へ鋭く突起されているため、外側を伝って流れ落ちる培養液１ｂを内側（回転軸６ｘ側）へ回りこませることはない。
【００３５】
開口部１１ｃの周縁の突起部１１ｅは、上壁面１１ａに対してほぼ垂直、つまり回転軸６ｘに対してほぼ平行に突起されている。これに対して防壁部１４は、突起部１１ｅの全周に渡って突起部１１ｅとほぼ平行に設けられ、突起部１１ｅを囲繞している。この突起部１１ｅと防壁部１４とは、焦準機構７によるレンズ保持機構６の昇降移動範囲内で常に少なくとも一部が上壁面１１ａに沿った方向に重なり合うようにされている。
【００３６】
これによって、倒立顕微鏡１００では、ステージ２上で容器１からこぼされ、ステージ２の穴部２ａを介してレンズ保持機構６上にこぼれ落ちるとともに、レンズ保持機構６および垂壁面１１ｂ等によって飛散された培養液１ｂが、上壁面１１ａに沿った方向から開口部１１ｃ内に直接入り込めないようにされており、培養液１ｂの開口部１１ｃ内への浸入が防止されている。同様に、ステージ２の周縁部からこぼれ落ちて飛散された培養液１ｂも、上壁面１１ａに沿った方向から開口部１１ｃ内に直接入り込めないようにされている。
【００３７】
具体的には、例えば回転軸６ｘの傾斜角θが１５°であり、焦準機構７によるレンズ保持機構６の昇降移動範囲が１０ｍｍである場合、突起部１１ｅと防壁部１４との回転軸６ｘ方向における高さをそれぞれ９．７ｍｍとすることで、レンズ保持機構６の昇降移動範囲内で常に突起部１１ｅと防壁部１４との少なくとも一部を、上壁面１１ａに沿った方向に重ね合わせることができる。また、この場合、上壁面１１ａに沿った方向におけるレボルバ６ｃの周縁としての側面と突起部１１ｅとの間隔を２．６ｍｍ以上とすることで、レンズ保持機構６の昇降移動範囲内で常にレボルバ６ｃと突起部１１ｅとの接触を防止することができる。
【００３８】
また、倒立顕微鏡１００では、開口部１１ｃの周縁に突起部１１ｅを設けることで、上壁面１１ａ上にこぼれ落ちた培養液１ｂが、上壁面１１ａ上を伝って開口部１１ｃ内に入り込めないようにされており、培養液１ｂの開口部１１ｃ内への浸入が防止されている。上壁面１１ａ上にこぼれ落ちた培養液１ｂは、斜面とされた上壁面１１ａによって前端部へ流下され、貯溜部１１ｆ内に流入されるとともに貯溜部１１ｆ内に貯溜される。倒立顕微鏡１００の利用者は、この貯溜された培養液１ｂを払拭あるいは吸い取ることで、その処理を容易に行うことができる。なお、貯溜部１１ｆに替えて排水路を設け、上壁面１１ａによってこの排水路内に流入された培養液１ｂを顕微鏡本体１１外へ排出させるようにすることもできる。
【００３９】
一方、ステージ２は、容器１と開口部１１ｄとの間において、鉛直面に沿って周囲に凸壁部２ｂが設けられている。これによって、倒立顕微鏡１００では、例えば容器１からステージ２上にこぼされた培養液１ｂがステージ２を伝って開口部１１ｄ内に浸入しないようにされており、培養液１ｂの開口部１１ｄ内への浸入が防止されている。
【００４０】
以上説明したように、本実施の形態１にかかる倒立顕微鏡１００では、ステージ２上で容器１からこぼされた培養液１ｂ等の液体を開口部１１ｃ，１１ｄから顕微鏡本体１１内へ浸入させることなく顕微鏡本体１１内を確実に防水することができ、顕微鏡本体１１内に設けられた光学部材および機構部材の液体による汚染を防止することができる。また、倒立顕微鏡１００では、ステージ２上から誤って落下させた標本１ａ等も顕微鏡本体１１内に入り込ませることがなく上壁面１１ａ上に留めることができるとともに、容易に取り出すことができる。
【００４１】
（実施の形態２）
つぎに、本発明の実施の形態２にかかる倒立顕微鏡について説明する。図３および図４は、本実施の形態２にかかる倒立顕微鏡２００の要部構成を示す図である。図３は、倒立顕微鏡２００を右側面から見た構成を示し、図４は、図３におけるIV−IV矢視方向から見た構成を示している。なお、倒立顕微鏡１００と同じ構成部分には同一符号を付して示している。
【００４２】
これらの図に示すように、倒立顕微鏡２００は、容器１が載置されるステージ２２と、ステージ２２を支持する顕微鏡本体２１と、透過照明装置４、対物レンズ５、レンズ保持機構２６および焦準機構７とを備える。また、倒立顕微鏡２００は、標本１ａを透過した透過照明光をもとに対物レンズ５が結像させる標本１ａの観察像を目視観察可能とする観察部２５と、対物レンズ５から観察部２５までの光路を形成するミラー２３，２４とを備える。
【００４３】
顕微鏡本体２１は、焦準機構７およびミラー２３，２４を内部に備える筐体であって、その上壁面２１ａには、焦準機構７とレンズ保持機構２６とを接続させるための開口部２１ｃが設けられている。また、上壁面２１ａには、対物レンズ５を介した標本１ａからの観察光を顕微鏡本体２１内に導入する導入口を形成するとともにその導入口を封止するガラス窓２１ｂが設けられ、上壁面２１ａにおける開口部２１ｃの周縁には、上壁面２１ａ上へ突起した突起部２１ｅが円筒状に設けられている。
【００４４】
レンズ保持機構２６は、レボルバ６ｃを用いて構成されており、レボルバ６ｃの周縁部における回転軸６ｘ周りには、リング状の突起部２７が下方へ突設されている。レボルバ６ｃの水平面内（図３における左右方向および紙面垂直方向を含む面内）の大きさは、開口部２１ｃの水平面への投影像つまり開口部２１ｃ自身よりも大きく、突起部２７は、水平方向において開口部２１ｃより外側に設けられている。
【００４５】
これによって、倒立顕微鏡２００では、ステージ２２上で容器１からこぼされ、ステージ２２に設けられた観察光路確保のための穴部２２ａを介してレンズ保持機構２６上にこぼれ落ちるとともに、レンズ保持機構２６を伝ってその周縁部から流れ落ちる培養液１ｂが、開口部２１ｃ内に直接こぼれ落ちないようにされており、培養液１ｂの開口部２１ｃ内への浸入が防止されている。なお、突起部２７は、下方へ鋭く突起されているため、外側を伝って流れ落ちる培養液１ｂを内側（回転軸６ｘ側）へ回りこませることはない。
【００４６】
また、倒立顕微鏡２００では、開口部２１ｃの周縁に突起部２１ｅを設けることで、上壁面２１ａ上にこぼれ落ちた培養液１ｂが、上壁面２１ａ上を伝って開口部２１ｃ内に入り込めないようにされており、培養液１ｂの開口部２１ｃ内への浸入が防止されている。上壁面２１ａ上にこぼれ落ちた培養液１ｂは、上壁面２１ａ上に滞留されるか、上壁面２１ａを伝って顕微鏡本体２１外へ流出される。
【００４７】
以上説明したように、本実施の形態２にかかる倒立顕微鏡２００では、ステージ２２上で容器１からこぼされた培養液１ｂ等の液体を開口部２１ｃから顕微鏡本体２１内へ浸入させることなく顕微鏡本体２１内を確実に防水することができ、顕微鏡本体２１内に設けられた光学部材および機構部材の液体による汚染を防止することができる。
【００４８】
（変形例）
つぎに、本実施の形態２にかかる倒立顕微鏡の変形例について説明する。図５は、本変形例にかかる倒立顕微鏡３００の要部構成を示す図である。この図に示すように、倒立顕微鏡３００は、倒立顕微鏡２００の構成をもとに、顕微鏡本体２１に替えて顕微鏡本体３１を備える。その他の構成は倒立顕微鏡２００と同じであり、同一構成部分には同一符号を付して示している。
【００４９】
顕微鏡本体３１は、焦準機構７およびミラー２３，２４を内部に備える筐体であって、その上壁面３１ａには、焦準機構７とレンズ保持機構２６とを接続させるための開口部３１ｃが設けられている。開口部３１ｃは、顕微鏡本体２１における開口部２１ｃと同じ大きさにされている。また、上壁面３１ａには、顕微鏡本体２１におけるガラス窓２１ｂと同様にガラス窓３１ｂが設けられている。ガラス窓３１ｂは、対物レンズ５を介した標本１ａからの観察光を導入する導入口を形成するとともにその導入口を封止している。さらに、上壁面３１ａは、開口部３１ｃが高く、前端部および後端部が低い斜面とされている。
【００５０】
これによって、倒立顕微鏡３００では、倒立顕微鏡２００と同様に、ステージ２２上で容器１からこぼされ、穴部２２ａを介してレンズ保持機構２６上にこぼれ落ちるとともに、レンズ保持機構２６を伝ってその周縁部から流れ落ちる培養液１ｂが、開口部３１ｃ内に直接こぼれ落ちないようにされており、培養液１ｂの開口部３１ｃ内への浸入が防止されている。
【００５１】
また、倒立顕微鏡３００では、上壁面３１ａが開口部３１ｃを最も高くした斜面とされていることで、上壁面３１ａ上にこぼれ落ちた培養液１ｂが、上壁面３１ａ上を伝って開口部３１ｃ内に入り込めないようにされており、培養液１ｂの開口部３１ｃ内への浸入が防止されている。上壁面３１ａ上にこぼれ落ちた培養液１ｂは、斜面とされた上壁面３１ａによって前端部または後端部へ流下され、そこで上壁面３１ａ上に滞留されるか、上壁面３１ａを伝って顕微鏡本体３１外へ流出される。
【００５２】
このように、本変形例にかかる倒立顕微鏡３００では、ステージ２２上で容器１からこぼされた培養液１ｂ等の液体を開口部３１ｃから顕微鏡本体３１内へ浸入させることなく顕微鏡本体３１内を確実に防水することができ、顕微鏡本体３１内に設けられた光学部材および機構部材の液体による汚染を防止することができる。
【００５３】
ここまで、本発明を実施する最良の形態を実施の形態１および２として説明したが、本発明は、上述した実施の形態１および２に限定されず、本発明の趣旨を逸脱しない範囲であれば、種々の変形が可能である。
【００５４】
例えば、上述した倒立顕微鏡１００，３００では、上壁面１１ａおよび上壁面３１ａの全体を斜面にするものとして説明したが、培養液１ｂが特にこぼれやすいところなどに部分的に斜面を設けるようにしても構わない。また、上壁面１１ａおよび上壁面３１ａでは、前後方向に傾斜した斜面であるものとしたが、前後方向に限定されず、例えば左右方向に傾斜した斜面とすることもできる。さらに、前後方向または左右方向に限定されず、例えば前後左右４方向に傾斜した４つの斜面を設けるなど、より多くの方向に傾斜する斜面を設けることもできる。
【００５５】
また、上述した倒立顕微鏡２００，３００では、レボルバ６ｃの周縁部に突起部２７を突設することとしたが、突起部２７を設ける代わりに例えばレボルバ６ｃの底面の周縁を突状に成形しても構わない。
【図面の簡単な説明】
【００５６】
【図１】本発明の実施の形態１にかかる倒立顕微鏡の構成を示す図である。
【図２】図１におけるII−II矢視方向から見た構成を示す図である。
【図３】本発明の実施の形態２にかかる倒立顕微鏡の構成を示す図である。
【図４】図３におけるIV−IV矢視方向から見た構成を示す図である。
【図５】実施の形態２の変形例にかかる倒立顕微鏡の構成を示す図である。
【符号の説明】
【００５７】
１    容器
１ａ    標本
１ｂ    培養液
２    ステージ
２ａ    穴部
２ｂ    凸壁部
３    支持機構
４    透過照明装置
５，５’    対物レンズ
６    レンズ保持機構
６ａ    固定部
６ｂ    可動部
６ｃ    レボルバ
６ｄ    突縁部
６ｘ    回転軸
７    焦準機構
７ａ    固定部
７ｂ    可動部
８    落射照明装置
９    波長選択部
１０    撮像装置
１１    顕微鏡本体
１１ａ    上壁面
１１ｂ    垂壁面
１１ｃ，１１ｄ    開口部
１１ｅ    突起部
１１ｆ    貯溜部
１２    蝶番
１３    カバー
１４    防壁部
２１，３１    顕微鏡本体
２１ａ，３１ａ    上壁面
２１ｂ，３１ｂ    ガラス窓
２１ｃ，３１ｃ    開口部
２１ｅ    突起部
２２    ステージ
２２ａ    穴部
２３，２４    ミラー
２５    観察部
２６    レンズ保持機構
２７    突起部
１００，２００，３００    倒立顕微鏡
ＯＡ    観察光軸
【図１】
2008304859.tif 000003
【図２】
2008304859.tif 000004
【図３】
2008304859.tif 000005
【図４】
2008304859.tif 000006
【図５】
2008304859.tif 000007